(57)【要約】【課題】移動手摺に設けた表示体の表示事項を容易に変更することができる乗客コンベヤーの表示装置を得る。【解決手段】乗客コンベヤー１の運転によって制御盤８、表示指令装置９の機能により、所要の表示事項を組み合わせた表示指令装置９のプログラムに従って、移動手摺に設けた多数の電子表示体６に対してプログラムによって指定された表示事項を表示する。これにより、表示指令装置９のプログラムを適宜に設定し電子表示体６の表示事項を容易に変更できる。そして、乗客コンベヤー１の運転休止、連続運転、自動運転、自動運転中の一時停止、所定時間帯のみの表示等の乗客コンベヤー１の運転状況に対応し時宜に適応した表示事項１４〜１６の表示を容易化する。【選択図】                図１
2005041621.tif 000002
【特許請求の範囲】
【請求項１】
乗客コンベヤーの欄干に設けられた移動手摺と、この移動手摺の外周面に設けられて上記移動手摺の長手に沿って互いに離れて配置された多数の電子表示体と、多種の表示事項を記憶し上記乗客コンベヤーの制御盤の動作を介して作動し、上記表示事項を組み合わせて形成されたプログラムに従って、上記電子表示体に上記プログラムによって指定された上記表示事項の表示を指令する表示指令装置とを備えた乗客コンベヤーの表示装置。
【請求項２】
表示指令装置を、複数の表示事項を多数の電子表示体に対して順次くりかえして表示するプログラムが設定されたものとしたことを特徴とする請求項１記載の乗客コンベヤーの表示装置。
【請求項３】
表示指令装置を、自動運転中の乗客コンベヤーにおいて乗客検出センサー出力無となることによって上記乗客コンベヤーを低速運転し、電子表示体の表示事項として少なくとも運転方向表示を指令し、上記乗客コンベヤーの移動手摺の一循環によって上記低速運転を停止すると共に上記電子表示体の表示事項を消勢するプログラムが設定されたものとしたことを特徴とする請求項１記載の乗客コンベヤーの表示装置。
【請求項４】
表示指令装置を、自動運転中の乗客コンベヤーにおいて乗客検出センサー出力無となることによって上記乗客コンベヤーを低速運転し、電子表示体の表示事項として少なくとも運転方向表示を指令し、上記乗客コンベヤーの移動手摺の一循環によって上記低速運転を停止して次の自動運転に備えて待機すると共に、上記乗客コンベヤーの移動手摺の少なくとも湾曲部前面に配置された電子表示体に、運転方向表示事項を繰返し表示するプログラムが設定されたものとしたことを特徴とする請求項１記載の乗客コンベヤーの表示装置。
【発明の詳細な説明】
【０００１】
【発明の属する技術分野】
この発明は、欄干に設けられた移動手摺に配置された表示体に表示事項が表示される乗客コンベヤーの表示装置に関する。
【０００２】
【従来の技術】
従来の乗客コンベヤーの表示装置においては適宜なシートに表示事項等が印刷されてなる表示媒体を、欄干に設けられた移動手摺に貼り付けて模様、各種の広告等を表示するようになっている。（例えば、特許文献１参照）。
【０００３】
【特許文献１】
特開２００２−３７０８８７号公報（第２頁、図２）
【０００４】
【発明が解決しようとする課題】
従来の乗客コンベヤーの表示装置では、移動手摺にシート状の表示媒体を貼り付けてこの表示媒体に表示事項が表示される。このため、表示事項の変更に手数が掛かり、また乗客コンベヤーの自動運転中における一時停止、運転方向等の表示、すなわち乗客コンベヤーの運転態様に応じた表示事項を表示する表示システムには対応できないという問題点があった。
【０００５】
この発明は、かかる問題点を解消するためになされたものであり、移動手摺に設けられた表示体の表示事項を容易に変更することができる乗客コンベヤーの表示装置を得ることを目的とする。
【０００６】
【課題を解決するための手段】
この発明に係る乗客コンベヤーの表示装置においては、乗客コンベヤーの欄干に設けられた移動手摺と、この移動手摺の外周面に設けられて移動手摺の長手に沿って互いに離れて配置された多数の電子表示体と、多種の表示事項を記憶し乗客コンベヤーの制御盤の動作を介して作動し、表示事項を組み合わせて形成されたプログラムに従って、電子表示体にプログラムによって指定された表示事項の表示を指令する表示指令装置とが設けられる。
【０００７】
【発明の実施の形態】
実施の形態１．
図１〜図５は、この発明の実施の形態の一例を示す図で、図１は電気的機器の配置及び接続を示す全体構成図、図２は図１の乗客コンベヤーの移動手摺の平面図、図３は図１の乗客コンベヤーにおける乗降口の側面図、図４は図３の要部左側面図、図５は図１の乗客コンベヤーにおける表示動作を説明するフローチャートである。図において、エスカレーターからなる乗客コンベヤー１の欄干２に移動手摺３が設けられる。
【０００８】
また、乗客コンベヤー１の乗降口４において移動手摺３に湾曲部５が形成される。そして、移動手摺３の外周面に設けられて長手に沿って互いに離れて配置された多数の電子表示体６からなる電子表示体群７が設けられる。なお、電子表示体６として第一電子表示体、第二電子表示体〜第Ｎ電子表示体が配置される。
【０００９】
なお電子表示体６は例えば、プラスチック基板及び電子インクからなる前面板に電圧を加えるガラスＴＦＴ基板の背面板を貼り合わせて製造される電子ペーパーによって形成された表示部、マイコンからなり中央制御部を形成するＣＰＵ、外部とのデータ伝送のための無線式Ｉ／Ｆからなる無線通信部並びに電池からなる電源部によって構成される。そして、無線作動信号によって作動信号の内容に対応した表示事項を表面に現出する。
【００１０】
そして、多種の表示事項を記憶し乗客コンベヤー１の制御盤８の動作を介して付勢され、表示事項を組み合わせて形成されたプログラムに従って電子表示体群７の電子表示体に、プログラムによって指定された表示事項の表示を指令する表示指令装置９が設けられる。また、上端の乗降口４寄りに上部信号伝送装置１０、下端の乗降口４寄りに下部信号伝送装置１１が設けられる。
【００１１】
なお、上部信号伝送装置１０、下部信号伝送装置１１は電子表示体群７のそれぞれの電子表示体６に接続されて、電子表示体６に所要表示事項の信号を伝送する。また、表示指令装置９は通信装置１２を介して遠隔管理センター１３に接続され、遠隔管理センター１３からの操作により適宜な表示事項、表示事項を組み合わせたプログラムを入力することも可能である。また、電子表示体６には適宜な表示事項、例えば第一種表示事項１４、第二種表示事項１５が表示され、また建物の階床表示からなる第三種表示事項１６の表示が指令されることもある。
【００１２】
上記のように構成された乗客コンベヤーの表示装置において、次ぎに述べるように電子表示体６が配置される。すなわち、長さ２０ｃｍの電子表示体６が移動手摺３の長手に沿って互いに１ｍ離れて配置される。なお、一般的な乗客コンベヤー１では全長が約２０ｍとなるので、一階床間隔３．５ｍとし乗客コンベヤー１の乗客が通常目にするのはほぼ１／３であり、約２０枚の電子表示体６が設けられる。
【００１３】
また、次ぎに述べるようにして電子表示体６のアドレスが設定される。すなわち、乗客コンベヤー１を仮運転して移動手摺３を一周させてそれぞれの電子表示体６のアドレスをリセットする。そして、次ぎの運転時に最初に応答した電子表示体６のアドレスを検出し、無アドレスから第一アドレスを設定して記憶する。以下、順次アドレスを設定して移動手摺３が一巡して第一アドレスの電子表示体６を検出するとアドレス設定が終了する。
【００１４】
そして、乗客コンベヤー１の運転によって制御盤８、表示指令装置９の機能により、下降運転時は上部信号伝送装置１０、上昇運転時は下部信号伝送装置１１を介して電子表示体６にアドレス信号が伝送される。そして、移動手摺３に設けられた多数の電子表示体６によって設定されたアドレスに対応した表示事項、例えば第一種表示事項１４、第二種表示事項１５等の表示事項が表示される。なお、電子表示体６への信号伝送は、表示指令装置９等において方向信号を組み込む方式の場合には上部信号伝送装置１０のみからアドレス信号を伝送するように構成することも可能である。
【００１５】
このようにして、それぞれの電子表示体６に指定されたアドレス信号、すなわち表示指令装置９における表示事項を組み合わせて形成されたプログラムに従って、電子表示体６に対して指定された表示事項を表示する指令が伝送される。このため、複数の表示事項を組み合わせて電子表示体６に表示指令して表示することができる。これにより例えば、図２に示すように第一種表示事項１４と第二種表示事項１５を交互にくりかえして表示することができる。
【００１６】
なお、電子表示体６のアドレス設定は、電子表示体６の製造時にアドレスを付与することもできる。また、表示事項を複数からなる電子表示体６のブロック毎に表示することができる。さらに、広告内容等の表示事項によってはアドレス信号の伝送時間と関係づけて、一部の電子表示体６へ伝送されるアドレス信号のみを乗客コンベヤー１の運転時間帯によって変更することもできる。
【００１７】
また、乗客コンベヤー１の運転時に乗客コンベヤー１の乗降口４において移動手摺３が湾曲部５を移動するときの移動手摺３の動きが視覚的に早くなる。このため、電子表示体６の表示事項が読み取りにくくなるので、電子表示体６が乗降口４に湾曲部５に移動する直前において、表示事項を広告等から読み取ることが容易にできる表示事項、例えば図４に示すような建物の階床表示、すなわち第三種表示事項１６に変更することも可能である。
【００１８】
また、自動運転される乗客コンベヤー１において、乗客がなく乗客コンベヤー１が一時停止して待機する場合に、次ぎに述べるような電子表示体６による表示を行うことができる。以下、乗客コンベヤー１が停止待機するときの表示動作を図５に示すフローチャートによって説明する。すなわち、ステップ１０１において自動運転されている乗客コンベヤー１の乗客検出センサー出力無となると、ステップ１０２へ進む。
【００１９】
そして、ステップ１０２において乗客コンベヤー１の停止指令が発せられてステップ１０３へ進んで乗客コンベヤー１の駆動機が減速出力する。次いで、ステップ１０４へ進み乗客検出センサー出力有りであればステップ１０５へ進んで乗客コンベヤー１の運転指令が発せられて運転が再開され、また乗客検出センサー出力無であればステップ１０６へ進んで下部信号伝送装置１１が駆動機減速出力を受信する。
【００２０】
次いで、ステップ１０６からステップ１０７へ進み下部信号伝送装置１１が最初の電子表示体６と通信し、ステップ１０８へ進んで次の指令を発する。すなわち、表示内容：上向き矢印、表示遅れ時間：Ｔ秒、表示（点灯）時間：ｔ１秒、表示（点灯）間隔：Ｎ／２秒を指令する。次いでステップ１０９へ進み下部信号伝送装置１１が次ぎの電子表示体６と通信し、ステップ１１０へ進んで次の指令を発する。すなわち、表示内容：上向き矢印、表示遅れ時間：Ｔ＋ｔ×ｉ秒（ここにｉ＝１〜Ｎ／２）表示（点灯）時間：ｔ１秒を指令する。
【００２１】
そして、ステップ１１１へ進んで下部信号伝送装置１１がＮ／２個の電子表示体６と通信していなければステップ１０９へ戻り、下部信号伝送装置１１がＮ／２個の電子表示体６と通信していればステップ１１２へ進む。そして、ステップ１１２により乗客コンベヤー１の駆動機停止指令が発せられ、次いでステップ１１３へ進んで乗客コンベヤーが停止する。
【００２２】
このように、電子表示体６の表示事項を容易に変更できて電子表示体６によって少ない手数により、自動運転中である乗客コンベヤー１について遠くからでも乗客が容易に読み取ることができる一時停止、運転方向等、すなわち乗客コンベヤーの運転態様に応じた表示事項を表示することができる。要するに、乗客コンベヤー１の運転状況に対応して時宜に適応した表示事項を容易に表示することができる。
【００２３】
また、ステップ１０３において乗客コンベヤー１の駆動機が減速出力した後のステップ１０４により乗客検出センサー出力有無を判定した。しかし、ステップ１０５における運転再開を乗客にスムースに感じさせるために、各ステップに割り込みを入れて電子表示体６への表示変更指令を停止するように制御することもできる。なお、図５に示すフローチャートの動作において、電子表示体６の一部に上向き矢印の表示、すなわち方向表示が残るが、移動手摺３が一周すれば電子表示体６の表示が通常表示に復帰するので不都合が生じることはない。
【００２４】
なお、図１〜図５の実施の形態において表示指令装置９を次に述べる機能を有するものとする。すなわち、自動運転されている乗客コンベヤー１の乗客検出センサー出力無となると、乗客コンベヤー１の減速指令、停止指令が発せられて乗客コンベヤーが停止して次の自動運転に備えて待機する。
【００２５】
そして、この待機時に移動手摺３の少なくとも湾曲部５前面に配置された電子表示体６に、運転方向表示事項、例えば上向き矢印からなる上昇運転方向表示を繰返し表示する。これによって、自動運転待機中の乗客コンベヤー１において遠くからでも運転方向を視認することができる。したがって、乗客コンベヤー１から離れた場所にいる利用客に乗客コンベヤー１の運転状況情報を提供し、乗客コンベヤー１利用の利便性を向上することができる。
【００２６】
【発明の効果】
この発明は以上説明したように、乗客コンベヤーの欄干に設けられた移動手摺と、この移動手摺の外周面に設けられて移動手摺の長手に沿って互いに離れて配置された多数の電子表示体と、多種の表示事項を記憶し乗客コンベヤーの制御盤の動作を介して作動し、表示事項を組み合わせて形成されたプログラムに従って、電子表示体にプログラムによって指定された表示事項の表示を指令する表示指令装置とを設けたものである。
【００２７】
これによって、乗客コンベヤーの運転によって制御盤、表示指令装置の機能により、所要の表示事項を組み合わせて形成された表示指令装置のプログラムに従って、電子表示体にプログラムによって指定された表示事項が表示される。したがって、表示指令装置のプログラムを適宜に設定することによって電子表示体の表示事項を容易に変更することができる。そして、乗客コンベヤーの運転休止、連続運転、自動運転、自動運転中の一時停止、所定時間帯のみの広告等の乗客コンベヤーの運転状況に対応し時宜に適応した表示事項の表示を容易化する効果がある。
【図面の簡単な説明】
【図１】この発明の実施の形態１を示す図で、電気的機器の配置及び接続を示す全体構成図。
【図２】図１の乗客コンベヤーの移動手摺の平面図。
【図３】図１の乗客コンベヤーにおける乗降口の側面図。
【図４】図３の要部左側面図。
【図５】図１の乗客コンベヤーにおける表示動作を説明するフローチャート。
【符号の説明】
１    乗客コンベヤー、２    欄干、３    移動手摺、６    電子表示体、８    制御盤、９    表示指令装置、１４    第一種表示事項（表示事項）、１５    第二種表示事項（表示事項）、１６    第三種表示事項（表示事項）。
【図１】
2005041621.tif 000003
【図２】
2005041621.tif 000004
【図３】
2005041621.tif 000005
【図４】
2005041621.tif 000006
【図５】
2005041621.tif 000007